【手続補正書】
【提出日】平成16年10月12日(2004.10.12)
【手続補正１】
【補正対象書類名】特許請求の範囲
【補正対象項目名】全文
【補正方法】変更
【補正の内容】
【特許請求の範囲】
【請求項１】
気管内に挿入するように設計された遠位端と反対側の近位端とを有する中空チューブと；
前記中空チューブの外側の表面に該チューブの遠位端と近位端の間で固定されている可膨張式カフ；および
チューブの遠位端に隣接しカフで覆われた部分に一時的な曲げを作り出す機構であって、チューブの近位端からチューブのカフで覆われた部分の近位端までチューブ中のラインに沿って延びそしてチューブの遠位端に隣接したチューブの外表面外側を通過する引張り機構；
を備え、
それにより、該引張り機構の近位端に引張り力が加えられると、チューブがカフで覆われた部分で曲げさせられる、
迅速気管内挿管装置。
【請求項２】
カフによって覆われたチューブの壁の部分が取り除かれて、ヒンジ部位が作り出される、請求項１の装置。
【請求項３】
カフによって覆われたチューブの部分内にコイルばねが収容されている請求項２の装置。
【請求項４】
コイルばねがチューブのカフによって覆われた前記部分内に配置されていて、該コイルばねを包囲するチューブの壁の周囲部分が取り除かれる請求項１の装置。
【請求項５】
チューブがポリマー材料からなり、チューブのカフで覆われた上記部分がチューブの残りの部分よりも大きい柔軟性を有する化学的特性の異なるポリマーである請求項１の装置。
【請求項６】
チューブがポリマー材料からなり、チューブのカフによって覆われた部分が、熱、超音波あるいはＵＶ放射線で処理された、チューブの残りの部分よりも大きい柔軟性のポリマーを含む請求項１の装置。
【請求項７】
引張り機構が少なくとも１本のケーブルを有する請求項１の装置。
【請求項８】
前記の所望部位を少なくとも１つの軸に沿って少なくとも２つの方向に曲げるためのケーブルを複数本有する請求項７の装置。
【請求項９】
前記の引張り機構が、比較的剛性の高い、長手方向に延びる部材を有する請求項１の装置。
【請求項１０】
上記の長手方向に延びる部材が、チューブの外壁内に形成された長手方向に延びるチャネルの中に配置される請求項９の装置。
【請求項１１】
請求項７の装置であって、上記の引張り機構がチューブの近位端に装着された指で作動される引き金を備え、この指で作動される引き金は近位側へ動かして少なくとも一本のケーブルにテンションを与えることができて該チューブの所望の部位でチューブを曲がらせるものである上記装置。
【請求項１２】
請求項１１の装置であって、少なくとも１本のケーブルへの上記のテンションをオペレーターが故意に解放するまで一時的に維持するための留め金を有する上記装置。
【請求項１３】
請求項７の装置であって、少なくとも１本のケーブルがチューブの壁内の細長い空間を通って延びている上記装置。
【請求項１４】
請求項７の装置であって、少なくとも１本のケーブルがチューブの内部空間を通して延びている上記装置。
【請求項１５】
請求項７の装置であって、少なくとも１本のケーブルが、ステンレス鋼線、プラスチック製フィラメントと編組みフィラメント材料からなる群から選ばれる材料からなるものである上記装置。
【請求項１６】
気管内に挿入するように設計された遠位端と反対側の近位端とを形成する中空チューブと；
可膨張式カフと；
該チューブの遠位端の近くで、前記カフで覆われている、該チューブの周囲部分よりも柔軟である該チューブの柔軟部分と；
該チューブに固定され、前記柔軟部分を覆って該柔軟部分を気管から隔てる膜と；
前記チューブの近位端から延び、前記柔軟部分と前記の膜との間を延びていき、前記チューブの遠位端の近い位置に固定された引っ張り機構と；
を有し、該引張り機構に該チューブの近位端から引張り力を加えることにより前記柔軟部分を曲げさせる、迅速気管内挿管装置。
【請求項１７】
請求項１６に係る装置であって、さらに、該チューブが相互に離れていてかつそれぞれ別の膜で覆われている複数の柔軟部分を有し、別の引張り機構がこれらの別の柔軟部分と別の膜との間に延びている上記装置。
【請求項１８】
請求項１７の装置であって、前記の引張り機構が、上記の別の柔軟部分でチューブを曲げるためのケーブルを複数本有する上記装置。
【請求項１９】
請求項１６の装置であって、さらに、
内表面と外表面を有し、その内部に前記の引張り機構がチューブの近位端から前記柔軟部分の近位端まで延びる通路を有する前記チューブの壁と；
前記柔軟部分の近位端の近くで前記チューブに形成され、そこを通って前記引張り機構が壁から出て柔軟部分と膜との間を延びるための出口ポイント；及び
前記チューブの遠位端の近くにあって、前記引張り機構が固定される固定ポイント；
を備える上記装置。
【請求項２０】
請求項１９の装置であって、前記の膜が前記の外表面に結合されていて、さらに、前記内表面に結合された内側膜を備え、該内側膜と内表面の間に液密のシールが形成される上記装置。
【請求項２１】
請求項１６の装置であって、柔軟部分がそこから除去される材料を有する上記装置。
【請求項２２】
請求項２１の装置であって、前記の材料が除去されて、膜によって覆われたチューブの部分の反対側のチューブ部分にヒンジ部位が作り出される上記装置。
【請求項２３】
請求項２２の装置であって、該材料が除かれて、チューブの外表面からチューブの内部空間に入り込む切れ目が形成される上記装置。
【請求項２４】
請求項１６の装置であって、前記の柔軟部分がその内部に収納されたコイルばねを有する上記装置。
【請求項２５】
請求項１６の装置であって、前記の柔軟部分がチューブの柔軟部分内に配されたコイルばねからなり、該コイルばねを囲むチューブの壁の周囲部分が取り除かれる上記装置。
【請求項２６】
請求項１６の装置であって、前記の柔軟部分が、当該部分をチューブの他の部分よりもより柔軟にする蛇管表面構造をもつ構造を備える上記装置。
【請求項２７】
請求項１６の装置であって、該チューブがポリマー材料からなり、膜で覆われた部分が該チューブの周囲部分より大きな柔軟性を有する異なる化学的特性のポリマーである上記装置。
【請求項２８】
請求項１６の装置であって、前記チューブがポリマー材料からなり、柔軟部分が、熱、超音波あるいはＵＶ放射線で処理した、前記チューブの周囲部分より柔軟性の大きいポリマーを含む上記装置。
【請求項２９】
請求項１６の装置であって、前記の引張り機構が少なくとも１本のケーブルを有する上記装置。
【請求項３０】
請求項２９の装置であって、上記の引張り機構がチューブの近位端に装着された指で作動される引き金を備え、この指で作動される引き金は近位側へ動かして少なくとも一本のケーブルにテンションを与えることができて該チューブの所望の部位でチューブを曲がらせるものである上記装置。
【請求項３１】
請求項３０の装置であって、少なくとも１本のケーブルへの上記のテンションをオペレーターが故意に解放するまで一時的に維持するための留め金を有する上記装置。
【請求項３２】
請求項２９の装置であって、少なくとも１本のケーブルがチューブの壁内の細長い空間を通って延びている上記装置。
【請求項３３】
請求項２９の装置であって、少なくとも１本のケーブルがチューブの内部空間を通して延びている上記装置。
【請求項３４】
請求項２９の装置であって、少なくとも１本のケーブルが、ステンレス鋼線、プラスチック製フィラメントと編組みフィラメント材料からなる群から選ばれる材料からなるものである上記装置。
【請求項３５】
請求項１６の装置であって、さらに、前記の柔軟部分を少なくとも１つの軸に沿って少なくとも２つの方向に曲げるためのケーブルを複数本有する上記装置。
【請求項３６】
前記の引張り機構が、比較的剛性の高い、長手方向に延びる部材を有する請求項１６の装置。
【請求項３７】
請求項３６の装置であって、上記の長手方向に延びる部材が、チューブの外壁内部に形成された長手方向に延びるチャネルの中に配置される上記装置。
【請求項３８】
体内に挿入するように設計された遠位端と反対側の近位端とを形成する中空チューブと；
可膨張式カフと；
該チューブの遠位端に近い位置において前記カフで囲まれている、該チューブの周囲部分よりも柔軟である該チューブの柔軟部分と；
該チューブに固定され、前記柔軟部分を覆って該柔軟部分を身体から隔てる膜と；
前記チューブの近位端から延び、前記柔軟部分と前記の膜との間を延びていき、前記チューブの遠位端の近い位置に固定された引っ張り機構と；
を有し、該引張り機構に該チューブの近位端から引張り力を加えることにより前記柔軟部分を曲げさせる、体内挿入装置。
【請求項３９】
外表面を有する壁からなり、体内に挿入するために設計された遠位端と反対側の近位端とを有する柔軟構造体、
前記の壁に形成された切れ目；
上記構造体の外表面に固定され、前記の切れ目を覆う膜；
切れ目において前記構造体に一時的な曲がりを作り出す引張り機構であって、該構造体の近位端から延び、切れ目の近位端から切れ目と膜とにより形成された領域内まで延びる引張り機構；
上記引張り機構の近位端に引張り力が加わると柔軟構造体が前記切れ目で曲げられるように、該引張り機構の近位端が固定される、切れ目の遠位端近くにある接続ポイント；及び
前記引張り機構をロックするロック機構
を有する、体内挿入用装置。
【請求項４０】
請求項３９の装置であって、さらに、それぞれ少なくとも１つの軸に沿って少なくとも２つの方向に構造体を曲げるための引張り機構を有する、追加の膜によって覆われた追加の切れ目を備える上記装置。
【請求項４１】
気管内に挿入するように設計された遠位端と反対側の近位端とを有する中空チューブと；
前記中空チューブの外表面に該チューブの遠位端と近位端の間で固定された可膨張式カフと；
該カフによって覆われた外表面に一時的な曲がりを作るための、加圧下の液体を受け取るように適合されている拡張可能なチャンバと；
を有してなり、
それによって、加圧により液体が上記拡張可能なチャンバ内に導入されると、上記所望の部位でチューブが曲げられる、迅速気管内挿管装置。
【請求項４２】
内表面と外表面とを有する管状体からなり、気管内に挿入するように設計された遠位端と反対側の近位端とを有する中空チューブと；
該中空チューブの遠位端に近い位置にある、該中空チューブの周囲部分よりも柔軟である該チューブの柔軟部分であって、該柔軟部分には遠位端と近位端が備わっていて、その近位端の方が遠位端よりも前記中空チューブの近位端に近い位置にある前記柔軟部分と；
該チューブの近位端から柔軟部分の遠位端まで延びた、前記柔軟部分に曲げを作り出す作動機構であって、前記近位端で作動されて前記中空チューブを該柔軟部分で曲げる作動機構；及び
前記作動機構を選択的にロックするロック機構
を備える迅速気管内挿管装置。
【請求項４３】
請求項41の迅速気管内挿管装置であって、柔軟部分が管状体を通過している開口からなり、該チューブの周囲の部分よりいっそう柔軟であるようになっている上記装置。
【請求項４４】
請求項４３の迅速気管内挿管装置であって、開口が切れ目であって、柔軟部分での中空管の曲がりが該切れ目をいっそう閉じられた状態に向けて動かすことによって作られる上記装置。
【請求項４５】
請求項４３の迅速気管内挿管装置であって、開口はスリットであって、柔軟部分での中空管の曲がりが該スリットいっそう開いた状態に向けて動かすことによって作られる上記装置。
【請求項４６】
請求項４３の迅速気管内挿管装置であって、さらに、中空管に別の曲がりを作るための、スリットあるいは切れ目である少なくとも１つの別の開口を有する上記装置。
【請求項４７】
請求項４３の迅速気管内挿管装置であって、さらに、開口の周りにシールを形成して開口を通しての液体の通過を実質的に防止する第一の膜を有する上記装置。
【請求項４８】
請求項４２の迅速気管内挿管装置であって、前記作動機構が引張り機構を備え、該引張り機構は中空チューブの近位端に装着された指で作動される引き金を有し、該指で作動される引き金は近位へ動かすことができて引張り機構にテンションを加え、中空管を柔軟部分において曲げさせる、上記装置。
【請求項４９】
請求項４８の装置であって、前記ロック機構が、オペレーターによって故意に解放されるまで前記引張り機構にテンションを維持する留め金を備える上記装置。
【請求項５０】
請求項４２の迅速気管内挿管装置であって、
作動機構が、中空チューブの近位端から、柔軟部分の遠位端近くに位置するケーブルが結合されるケーブル接続点まで延びるケーブルであって、これにテンションが加えられて柔軟部分に曲げが作り出されるケーブルを有し；
該装置は、さらに、中空チューブの近位端にあり、近位側の面と遠位側の面を持ち外方へ延び穴を有する棚を備え、さらに前記の穴はエッジを有し前記ケーブルを受け入れるように配置されている万能アダプタ、及び
ケーブルの近位端近くに結合された止め具であって、前記の外方へ延びる棚の近位側の面と係合してケーブルのテンションを維持して、該止め具が前記外方に延びる棚からオペレータにより故意に解放されるまで、柔軟部分での曲げを維持する止め具を備える
ことを特徴とする上記装置。
【請求項５１】
請求項４２の迅速気管内挿管装置であって、
前記ロック機構が、前記中空チューブが貫いて延びる穴を有する摩擦ロックを中空チューブに沿って滑らせることができるように備えており；
前記作動機構が、該摩擦ロック上のケーブル接続点から柔軟部分の遠位端近くのケーブルが接続されるケーブル接続点まで延び、該摩擦ロックを中空チューブの近位端に向けて軸に沿って動かすと柔軟部分に曲げが作り出されるように設けられているケーブルを有する、
ことを特徴とする上記装置。
【請求項５２】
請求項５１の迅速気管内挿管装置であって、前記の穴が円形であって、直径が中空チューブよりも少し大きいことを特徴とする上記装置。
【請求項５３】
請求項５１の迅速気管内挿管装置であって、摩擦ロック上のケーブル接続点が、摩擦ロックの近位側の面にあり、ケーブルがその穴を通って摩擦ロックの近位側からケーブル接続点に結合することを特徴とする上記装置。
【請求項５４】
請求項５０の迅速気管内挿管装置であって、柔軟部分を曲げる又は真っ直ぐにするためにケーブルを動かそうとする時に摩擦ロックは中空チューブの長手軸に対して実質的に垂直な状態にあること、そして、該摩擦ロックはケーブルのテンションによって傾かされて柔軟部分での特定度合いの曲げが実質的に維持されること、を特徴とする上記装置。
【請求項５５】
気管内に挿入するように設計された遠位端と反対側の近位端とを形成する中空チューブと；
前記遠位端に近い位置にある、該チューブの周囲部分よりも柔軟である該チューブの柔軟部分と；
該チューブに固定され、前記柔軟部分を覆って該柔軟部分を気管から隔てる複数の膜と；
該チューブの近位端から延び、前記複数の膜の間を延びていき、前記チューブの遠位端の近い位置に固定された引っ張り機構と；
を有し、該引張り機構に該チューブの近位端から引張り力を加えることにより前記柔軟部分を曲げさせる、迅速気管内挿管装置。